【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
（ａ）組成物の総重量に基づき４０〜８０重量％の量の（メタ）アクリレートモノマー成分である、硬化性成分；
（ｂ）硬化開始成分；並びに
（ｃ）（ｉ）Ｓ−Ａ−Ｓ（式中、Ｓは、ポリスチレンであり、Ａは、任意選択でカルボン酸又は無水マレイン酸で置換されている、エチレン、プロピレン、ブチレン、及びスチレンのうちの１又は複数から形成されるポリマー又はコポリマーを表すが、ただし、Ａがスチレンを含む場合、Ａは、スチレンと、エチレン、プロピレン、及びブチレンのうちの少なくとも１種とのコポリマーであり、かつ、任意選択でカルボン酸又は無水マレイン酸で置換されている）によって表されるブロックポリマー；及び
（ｉｉ）前記ポリマー材料の任意の組み合わせ
からなる群より選択されるポリマー材料
を含み、組成物のＢステージ硬化生成物において、材料Ｓ−Ａ−Ｓは、組成物の総重量に基づき３０〜６０重量％の量で存在する、硬化性プライマー組成物。
【請求項２】
ポリマー材料が、Ｓ−Ａ−Ｓ（式中、Ｓは、ポリスチレンであり、Ａは、カルボン酸又は無水マレイン酸で置換されている、エチレン、プロピレン、ブチレン、及びスチレンのうちの１又は複数から形成されるポリマー又はコポリマーを表すが、
ただし、Ａがスチレンを含む場合、Ａは、スチレンと、エチレン、プロピレン、及びブチレンのうちの少なくとも１種とのコポリマーであり、かつ、カルボン酸又は無水マレイン酸で置換されている）によって表されるブロックポリマー；
及び、前記ポリマー材料の任意の組み合わせ
からなる群より選択される、請求項１に記載の硬化性組成物。
【請求項３】
Ａが、エチレン、プロピレン、ブチレン、及びスチレンのうちの１又は複数から形成されるが、ただし、Ａがスチレンのみから形成されることはない、請求項１または２に記載の硬化性組成物。
【請求項４】
Ａが、エチレン、プロピレン、ブチレン、及びスチレンのうちの少なくとも２種から形成される、請求項１〜３のいずれか１項に記載の硬化性組成物。
【請求項５】
Ａが、エチレン、プロピレン、ブチレン、及びスチレンのうちの少なくとも３種から形成される、請求項１〜４のいずれか１項に記載の硬化性組成物。
【請求項６】
材料Ｓ−Ａ−Ｓが、
（ａ）ポリスチレン−ポリ（エチレン−プロピレン）−ポリスチレン（「ＳＥＰＳ」）；
（ｂ）ポリスチレン−ポリ（エチレン−ブチレン）−ポリスチレン（「ＳＥＢＳ」）；及び
（ｃ）ポリスチレン−ポリ（エチレン−ブチレン−スチレン）−ポリスチレン（「Ｓ（ＥＢＳ）Ｓ」）
から選択される、請求項１〜５のいずれか１項に記載の硬化性組成物。
【請求項７】
Ａが、カルボン酸基及び／又は無水マレイン酸基で置換されている、請求項１〜６のいずれか１項に記載の硬化性組成物。
【請求項８】
Ａが、無水マレイン酸基で置換されている、請求項１〜７のいずれか１項に記載の硬化性組成物。
【請求項９】
材料Ｓ−Ａ−Ｓが、
（ａ）ポリスチレン−ポリ（エチレン−ブチレン）−ポリスチレン（「ＳＥＢＳ」）；及び
（ｂ）ポリスチレン−ポリ（エチレン−ブチレン−スチレン）−ポリスチレン（「Ｓ（ＥＢＳ）Ｓ」）
のうちの少なくとも１種である、請求項１〜８のいずれか１項に記載の硬化性組成物。
【請求項１０】
材料Ｓ−Ａ−Ｓが、カルボン酸又は無水マレイン酸で置換されている、
（ａ）ポリスチレン−ポリ（エチレン−ブチレン）−ポリスチレン（「ＳＥＢＳ」）；及び
（ｂ）ポリスチレン−ポリ（エチレン−ブチレン−スチレン）−ポリスチレン（「Ｓ（ＥＢＳ）Ｓ」）
のうちの少なくとも１種である、請求項１〜９のいずれか１項に記載の硬化性組成物。
【請求項１１】
材料Ｓ−Ａ−Ｓが、無水マレイン酸で置換されている、
（ａ）ポリスチレン−ポリ（エチレン−ブチレン）−ポリスチレン（「ＳＥＢＳ」）；及び
（ｂ）ポリスチレン−ポリ（エチレン−ブチレン−スチレン）−ポリスチレン（「Ｓ（ＥＢＳ）Ｓ」）
のうちの少なくとも１種である、請求項１〜１０のいずれか１項に記載の硬化性組成物。
【請求項１２】
材料Ｓ−Ａ−Ｓが、
（ａ）ポリスチレン−ポリ（エチレン−プロピレン）−ポリスチレン（「ＳＥＰＳ」）；
（ｂ）ポリスチレン−ポリ（エチレン−ブチレン）−ポリスチレン（「ＳＥＢＳ」）；
（ｃ）ポリスチレン−ポリ（エチレン−ブチレン−スチレン）−ポリスチレン（「Ｓ（ＥＢＳ）Ｓ」）；及び
（ｄ）ポリスチレン−ポリ（エチレン−エチレン／プロピレン）−ポリスチレン（「ＳＥＥＰＳ」）
のうちの少なくとも１種である、請求項１〜１１のいずれか１項に記載の硬化性組成物。
【請求項１３】
材料Ｓ−Ａ−Ｓが、
（ａ）ポリスチレン−ポリ（エチレン−プロピレン）−ポリスチレン（「ＳＥＰＳ」）；
（ｂ）ポリスチレン−ポリ（エチレン−ブチレン）−ポリスチレン（「ＳＥＢＳ」）；及び
（ｃ）ポリスチレン−ポリ（エチレン−ブチレン−スチレン）−ポリスチレン（「Ｓ（ＥＢＳ）Ｓ」）
のうちの少なくとも１種である、請求項１〜１２のいずれか１項に記載の硬化性組成物。
【請求項１４】
（ｉ）Ｓ−Ａ−Ｓ（式中、Ｓは、ポリスチレンであり、Ａは、任意選択でカルボン酸又は無水マレイン酸で置換されている、エチレン、プロピレン、ブチレン、及びスチレンのうちの１又は複数から形成されるポリマー又はコポリマーを表すが、ただし、Ａがスチレンを含む場合、Ａは、スチレンと、エチレン、プロピレン、及びブチレンのうちの少なくとも１種とのコポリマーであり、かつ、任意選択でカルボン酸又は無水マレイン酸で置換されている）によって表されるブロックポリマー；及び、
（ｉｉ）前記ポリマー材料の任意の組合せ
からなる群より選択されるポリマー材料が、ポリマー材料の総重量を基準として１０〜７０重量％のスチレンを含む、請求項１〜１３のいずれか１項に記載の硬化性組成物。
【請求項１５】
硬化開始成分が、光開始剤成分である、請求項１〜１４のいずれか１項に記載の硬化性組成物。
【請求項１６】
Ａが、カルボン酸基で置換されている、請求項１〜１５のいずれか１項に記載の硬化性組成物。
【請求項１７】
材料Ｓ−Ａ−Ｓが、２０〜１００のショアＡ硬度を有する、請求項１〜１６のいずれか１項に記載の硬化性組成物。
【請求項１８】
熱可塑性材料に接合しようとする基体上のプライマーとしての、請求項１〜１７のいずれか１項に記載の組成物の使用。
【請求項１９】
請求項１〜１７のいずれか１項に記載の組成物の硬化生成物が、少なくともその表面上の層としてコーティングされている基体であって、該硬化生成物が、任意選択でその後に熱可塑性材料に接合するために、Ｂステージにある、基体。
【請求項２０】
請求項１〜１７のいずれか１項に記載の組成物の硬化生成物が、少なくともその表面上の層としてコーティングされている基体であって、該硬化生成物がＢステージにある、基体と、該層の上にオーバーモールドされたポリオレフィン材料と、を含む、アセンブリ。
【請求項２１】
（ａ）請求項１〜１７のいずれか１項に記載の組成物；
（ｂ）熱可塑性プラスチック
を含む組合せ。
【請求項２２】
（ａ）Ｂステージ型の請求項１〜１７のいずれか１項に記載の組成物が、少なくともその表面上の層としてコーティングされている物品；
（ｂ）該Ｂステージ型の組成物に接触している熱可塑性プラスチック
を含む組合せ。
【請求項２３】
物品の周囲に射出成形物を形成するプロセスであって、
（ａ）射出成形用キャビティ中に、その周囲で熱可塑性プラスチック材料をある形状に成形しようとする物品を配置する工程；並びに
（ｂ）物品が配置されている射出成形用キャビティ中に、熱可塑性材料を、該材料が型内の物品の周辺及び周囲を流れることができる温度及び圧力で射出する工程、及び、該型を、熱可塑性材料を固化させるのに適切な温度及び圧力下で維持する工程
を含み、物品の配置の前に、物品を、請求項１〜１７のいずれか１項に記載の組成物で下塗りし、そして組成物を硬化させるのに適切な電磁スペクトルの放射線にばく露する、プロセス。
【請求項２４】
請求項２３に記載のプロセスから形成された射出成形物品。
【請求項２５】
物品が、ガラスから構成されている、請求項２３に記載のプロセス。
【請求項２６】
物品が、アルミニウムから構成されている、請求項２３に記載のプロセス。
【請求項２７】
物品が、陽極酸化アルミニウムから構成されている、請求項２３に記載のプロセス。